(57)【要約】【課題】レンズのピント調整と、簡便で安定したレンズの固定とを両立させ、ピントずれの悪化を抑制し、低コスト化しつつ、リサイクル性を向上させる。【解決手段】第１の結像光学系に含まれるシリンドリカルレンズ２に複数の位置決定部２ｃを設けて、光学箱１０に対して、シリンドリカルレンズ２を光軸方向に段階的に１つの位置を選択して、位置決定可能に構成し、光軸方向Ｌに沿って段階的に調整できるようにする。さらに、シリンドリカルレンズ２を上方から付勢する弾性部材２１を設け、位置決めしたシリンドリカルレンズ２を光学箱１０に対して確実に固定する。【選択図】        図９
2004219883.tif 000002
【特許請求の範囲】
【請求項１】
光源と、
上記光源から出射した光ビームを集光する第１の結像光学系と、
上記第１の結像光学系を通過した上記光ビームを偏向反射面により反射偏向させる回転多面鏡と、
上記回転多面鏡により偏向された光ビームを感光体上に光走査し、上記感光体上にスポットとして結像させる第２の結像光学系と、
少なくとも、上記光源、上記第１の結像光学系、上記回転他面鏡および上記第２の結像光学系を保持する光学箱とを有し、
上記第１の結像光学系に含まれる光学素子のうちの少なくとも１つの光学素子が、上記光学箱に対し、光軸方向に沿ってそれぞれ異なる複数の段階的な位置から１つの位置を選択して、位置決め可能に構成されている
ことを特徴とする走査光学装置。
【発明の詳細な説明】
【０００１】
【発明の属する技術分野】
この発明は、走査光学装置に関し、特に、レーザプリンタやレーザファクシミリなどの画像形成装置に用いられる走査光学装置およびこれを搭載する画像形成装置に適用して好適なものである。
【０００２】
【従来の技術】
従来、レーザビームプリンタなどの画像形成装置に用いられる走査光学装置においては、高速回転する回転多面鏡により、レーザビームなどの光ビームを反射させて、この光ビームを偏向走査し、得られた走査光を回転ドラム上の感光体に結像させることにより静電潜像を形成するように構成されている。
【０００３】
次に、現像装置により、感光体の静電潜像をトナー像に顕像化し、この顕像化されたトナー像を記録紙などの記録媒体に転写して定着装置に搬送し、記録媒体上のトナーを加熱定着させることによって印刷が行われる。
【０００４】
そして、感光体上の副走査方向のピントの調整は、シリンドリカルレンズの光軸方向の位置を調整することによって行われる。
【０００５】
特許文献１には、感光体上の副走査方向のピントの調整を、シリンドリカルレンズの光軸方向の位置を調整して行う走査光学装置が示されている。
【０００６】
すなわち、特許文献１には、シリンドリカルレンズの光軸方向の位置を調整することにより、感光体上の副走査方向のスポット径を規格値に合わせるピント調整が行われ、この調整後、バネ固定によりシリンドリカルレンズを光学箱に固定する技術が開示されている。
【０００７】
【特許文献１】
特開２００１−１００１３７号公報
【０００８】
【発明が解決しようとする課題】
しかしながら、上述の従来の走査光学装置には、次のような問題があった。
【０００９】
すなわち、シリンドリカルレンズの位置決めにあたって、光学箱には光軸方向のシリンドリカルレンズの位置決め箇所が設けられていない。そのため、輸送時の振動などにより、シリンドリカルレンズの位置がずれ、感光体上に結像するスポット形状が崩れて、画像不良が発生する可能性がある。
【００１０】
この問題点について、図１１を用いて説明する。図１１は、上述した従来技術による走査光学装置のシリンドリカルレンズ付近を光軸と直角の方向からみた模式図である。
【００１１】
図１１に示すように、シリンドリカルレンズ１０２は、光学箱１１０の所定の位置に設けられたレンズ保持面１１１上において、光軸Ｌの方向の位置の調整がされた後に、バネ１２０によって光学箱１１０に固定される。
【００１２】
しかしながら、この従来技術による走査光学装置においては、組立時に、過って工具などによってシリンドリカルレンズに接触してしまったり、輸送時において振動を受けたりする。これによって、シリンドリカルレンズ１０２が調整後の位置からシリンドリカルレンズ１０２´（図１１中２点鎖線）の位置にずれてしまう可能性がある。その結果、ピントずれが発生し、感光体上でのスポット形状が副走査方向に崩れ、画像不良が発生してしまう。
【００１３】
このような問題を解決する方法としては、特許文献１の一実施例として開示されている方法がある。この方法は、シリンドリカルレンズの上端面に凹凸形状を設け、レンズとバネの摩擦力を高めることによりレンズ固定の安定を図るという方法である。しかしながら、この方法を採用すると、レンズの部品コストが増加してしまうという、別の問題点が発生する。
【００１４】
そこで、シリンドリカルレンズを調整後、このシリンドリカルレンズを光学箱に接着するという他の方法も考えられる。ところが、この方法においては、組立タクトが長くなるのみならず、紫外線（ＵＶ）照射器が必要になるため、製造ラインにおいても高額な装置が必要となり、より一層のコストアップにつながる。
【００１５】
さらに、この方法を採用して、シリンドリカルレンズを接着固定してしまうと、固定後の再調整が極めて困難になるため、再生産性（リサイクル性）が極めて悪くなるという別の問題も併せて生じてしまう。
【００１６】
したがって、この発明の目的は、シリンドリカルレンズのピント調整と弾性部材による簡便かつ安定したレンズの固定を両立させることができ、ピントずれによる感光体上でのスポット形状の悪化を抑制し、安価でリサイクル性に優れた走査光学装置を提供することにある。
【００１７】
【課題を解決するための手段】
上記目的を達成するために、この発明は、
所定の結像光学系に含まれる光学素子のうちの、少なくとも１つの光学素子を、この結像光学系を保持する光学箱に対し、光軸方向のそれぞれ異なる位置から１箇所を選択して位置決め可能に構成することを特徴とするものである。
【００１８】
具体的に、この発明は、
光源と、
光源から出射した光ビームを集光する第１の結像光学系と、
第１の結像光学系を通過した光ビームを偏向反射面により反射偏向させる回転多面鏡と、
回転多面鏡により偏向された光ビームを感光体上に光走査し、感光体上にスポットとして結像させる第２の結像光学系と、
少なくとも、光源、第１の結像光学系、回転他面鏡および第２の結像光学系を保持する光学箱とを有し、
第１の結像光学系に含まれる光学素子のうちの少なくとも１つの光学素子が、光学箱に対し、光軸方向に沿ってそれぞれ異なる複数の段階的な位置から１つの位置を選択して、位置決め可能に構成されている
ことを特徴とするものである。
【００１９】
【発明の実施の形態】
以下、この発明の一実施形態について図面を参照しながら説明する。なお、以下の一実施形態の全図においては、同一または対応する部分には同一の符号を付す。
【００２０】
まず、この発明の一実施形態による走査光学装置について説明する。図１に、この一実施形態による走査光学装置の全体構成を示す。
【００２１】
図１に示すように、半導体レーザ１から発生された光ビームとしてのレーザ光は、コリメータレンズ１ａによって平行化される。その後、このレーザ光は、アパーチャによりそのビーム形状が整えられ、光学素子としてのシリンドリカルレンズ２により、線状の光束に集光される。
【００２２】
線状の光束に集光されたレーザ光は、回転多面鏡３により、回転軸に沿った方向（Ｚ軸方向）に対して垂直方向（Ｙ軸方向）に偏向走査された後、結像レンズ４および折り返しミラー５を経て、回転ドラム状の感光体Ｄに結像される。
【００２３】
この感光体Ｄに結像した光束は、回転多面鏡３の回転によるＹ軸方向の主走査と、回転ドラムの回転によるＸ軸方向の副走査とに伴い、感光体Ｄ上に静電潜像を形成する。
【００２４】
また、回転多面鏡３によって走査されたレーザ光の一部分は、検出ミラー６によって水平同期信号検出器７に導入され、この水平同期信号検出器７からの出力信号によって半導体レーザ１が書き込み変調を開始する。
【００２５】
また、結像レンズ４は、球面レンズ部とトーリックレンズ部からなり、回転多面鏡３によって等角速度で走査される走査光を、回転ドラム上でＹ軸方向に等速度で走査する走査光に変換する、いわゆるｆθ機能を有する。
【００２６】
また、半導体レーザ１、シリンドリカルレンズ２、回転多面鏡３、結像レンズ４、折り返しミラー５、検出ミラー６、および水平同期信号検出器７は、光学箱１０に取り付けられる。また、この光学箱１０の上部の開口は、図中波線で示すふた部材３０によって閉塞される。
【００２７】
また、回転多面鏡３を回転駆動させるモータは、光学箱１０の底面に支持されたモータハウジングと、これと一体であるモータ基板３ｂに実装されるステータおよび、これに対向するロータなどからなる磁気回路によって構成される。
【００２８】
ステータは、モータ基板３ｂに立設されたステータコアと、これに巻き付けられたステータコイルとを有して構成される。また、ロータは、回転軸と一体の座金に固着され、回転多面鏡３は、押さえバネなどを有する弾性押圧機構によって座金に押圧され、この座金を介してロータに一体的に結合される。そして、ステータが励磁されると、ロータと回転多面鏡３とが一体になって回転する。
【００２９】
また、シリンドリカルレンズ２は、副走査方向にのみパワーを有し、後述するように、シリンドリカルレンズ２の光軸Ｌの方向の位置が調整されることによって、副走査方向のピント調整を行うことができるようになっている。なお、光学箱１０に対するシリンドリカルレンズ２の固定は、弾性部材２０によりシリンドリカルレンズ２がＺ方向に付勢されることにより行われる。
【００３０】
次に、光学箱１０およびシリンドリカルレンズ２の部品形状について説明する。図２に、光学箱１０におけるシリンドリカルレンズ２の近傍の拡大図を示す。
【００３１】
図２に示すように、光学箱１０の所定の位置には、シリンドリカルレンズ２が保持されるレンズ保持面１１が設けられている。レンズ保持面１１は、高さの位置精度および面精度がともに高精度に仕上げられ、シリンドリカルレンズ２のＺ高さの基準となる。
【００３２】
また、レンズ保持面１１には、シリンドリカルレンズ２における光軸Ｌの方向の位置を規制する光軸方向位置決定ピン１２ａ，１２ｂが設けられている。なお、これらの光軸方向位置決定ピン１２ａ，１２ｂの光軸Ｌの方向の間隔ａ１は、後述するシリンドリカルレンズ２の突き当て面がガタつくことなく係合可能なように、高精度に寸法が保証されている。
【００３３】
また、光軸方向位置決定ピン１２ａ，１２ｂは、光軸Ｌと直交する方向の位置に関して高精度に寸法が保証されており、所定の幅ａ２を有している。さらに、光軸方向位置決定ピン１２ａ，１２ｂの端部から、光軸Ｌに対して直交する方向に、２×ａ２だけ離れた位置に、光軸直角方向位置決定ピン１３ａ，１３ｂが設けられている。なお、光軸直角方向位置決定ピン１３ａ，１３ｂにおける光軸Ｌの方向に沿った幅は、任意に決定することが可能である。
【００３４】
次に、シリンドリカルレンズ２について説明する。図３に、シリンドリカルレンズ２単体の斜視図を示し、図４に、シリンドリカルレンズ２の集光作用を説明するための略線図を示す。なお、図３におけるシリンドリカルレンズ２は、Ｚ方向に反転させた方向に図示される。
【００３５】
図３に示すように、シリンドリカルレンズ２は、レンズ有効面２ａを有している。そして、上述した半導体レーザ１から発生されたレーザ光は、コリメータレンズ１ａによって平行光化され、この平行光は、シリンドリカルレンズ２のレンズ有効面２ａに入射される。
【００３６】
また、図４に示すように、レンズ有効面２ａは、副走査方向にのみパワーを有し、主走査方向にパワーを有しないようになっている。そして、シリンドリカルレンズ２を通過した光は、線状の光束となり、回転多面鏡３の反射面に集光される。
【００３７】
また、シリンドリカルレンズ２の下端部、すなわちレンズの底面側に位置決定部２ｂが設けられている。また、レンズの入射側と出射側とに、それぞれ対向する階段形状を有する突き当て面２ｃ（２ｃＰ、２ｃＣ、２ｃＬ）が設けられている。ここで、それぞれに対向して形成された階段形状の突き当て面２ｃに関する詳細を図５に示す。
【００３８】
図５に示すように、これらの突き当て面２ｃ（２ｃＰ、２ｃＣ、２ｃＬ）は、その段差部分が、それぞれ光軸Ｌの方向に、所定の間隔Δｂだけ、ずれて設けられており、これらの突き当て面２ｃ（２ｃＰ，２ｃＣ，２ｃＬ）の対向する２面の間隔は、互いに同一の距離ｂ１となっている。また、それぞれの突き当て面２ｃ（２ｃＰ、２ｃＣ、２ｃＬ）は、光軸Ｌと直交する方向に、互いに等しい所定の幅ｂ２を有している。
【００３９】
また、この一実施形態の走査光学装置においては、上述したように、光学箱１０におけるシリンドリカルレンズ２の固定部に、光軸方向位置決定ピン１２ａ，１２ｂおよび光軸直角方向位置決定ピン１３ａ，１３ｂが設けられている。
【００４０】
また、シリンドリカルレンズ２には、光軸Ｌの方向の異なる位置に突き当て面２ｃが複数組設けられていることにより、シリンドリカルレンズ２の光軸方向の位置を段階的に選択して位置決めすることが可能となる。
【００４１】
また、この一実施形態によるシリンドリカルレンズ２においては、図５に示すように、光軸Ｌの方向にそれぞれΔｂの間隔で３段階の突き当て面２ｃＰ，２ｃＣ．２ｃＬが設けられていることにより、シリンドリカルレンズ２の光軸Ｌの方向の位置を３箇所から１箇所選択することによって、回転多面鏡側と、中央（称呼位置）と、レーザ側との３段階調整を行うことが可能となる。
【００４２】
さらに、この一実施形態による走査光学装置においては、光軸方向位置決定ピン１２ａ，１２ｂのみならず、光軸直角方向位置決定ピン１３ａ，１３ｂが設けられているため、シリンドリカルレンズ２の３段階調整により、シリンドリカルレンズ２をどの位置に設置した場合であっても、光軸Ｌと直交する方向に対して、シリンドリカルレンズ２がガタつくことがなく、レンズの位置決めを正確に行うことが可能となる。
【００４３】
次に、上述した３段階調整によるレンズの位置決め状態について説明する。図６、図７および図８に、上述したシリンドリカルレンズ２の３段階調整におけるレンズの位置決め状態を示し、ぞれぞれ、斜視図と上方向から見た概念図を示す。
【００４４】
まず、図６に、シリンドリカルレンズ２を中央位置に置いた状態を示す。なお、この中央位置は、光学設計上、レンズの称呼位置に相当する。
【００４５】
図６Ａおよび図６Ｂに示すように、シリンドリカルレンズ２に複数設けられた突き当て面２ｃのうちから、中央位置に対応する突き当て面２ｃＣを適用することによって、光軸Ｌの方向に関して、レンズを中央位置に位置決めすることが可能となる。
【００４６】
このとき、光軸方向位置決定ピン１２ａ，１２ｂの間隔ａ１と突き当て面２ｃＣの間隔ｂ１（図２，図５参照）とは、ａ１＝ｂ１という関係を満たしている。そのため、シリンドリカルレンズ２が光軸Ｌの方向にガタつくことを防止することができる。
【００４７】
また、シリンドリカルレンズ２の位置決定部２ｂは、図２に示すように、対向する階段形状が入射側と出射側とに設けられている形状を有している。さらに、光軸方向位置決定ピン１２ａ，１２ｂの幅ａ２と、レンズ突き当て面２ｃＣの幅ｂ２（図５参照）とに関して、ａ２＝ｂ２の関係を満たしている。これにより、シリンドリカルレンズ２が光軸Ｌと直交する方向に関してもガタなく噛み合った状態に位置決めすることができる。さらに、シリンドリカルレンズ２が図６Ｂ中のθ方向に回転することをも防止することができる。
【００４８】
一方、半導体レーザ１の波長バラツキなどの影響により、シリンドリカルレンズ２を回転多面鏡３側に移動する必要がある場合、図７に示すように、シリンドリカルレンズ２の位置決めが行われる。
【００４９】
そして、シリンドリカルレンズ２に複数設けられた突き当て面２ｃのうちの、突き当て面２ｃＰを適用することによって、称呼位置と比較して、シリンドリカルレンズ２を間隔Δｂだけレーザ側に寄せた位置に位置決めすることが可能となる。
【００５０】
このとき、シリンドリカルレンズ２を中央位置に位置決めした場合と同様に、突き当て面２ｃＰの間隔ｂ１は、ａ１＝ｂ１の関係を満たしている。そのため、シリンドリカルレンズ２が光軸Ｌの方向に付勢されることになるため、その光軸Ｌの方向へのガタつきを防止することが可能となる。
【００５１】
また、図２に示すように、光軸方向位置決定ピン１２ａ，１２ｂの端部から２×ａ２だけ離れた位置に光軸直交方向決定ピン１３ａが設けられている。そのため、シリンドリカルレンズ２は、光軸直交方向決定ピン１３ａと光軸方向位置決定ピン１２ａと（図７Ｂ，図８Ｂ中、ハッチング箇所）において係合する状態となる。
【００５２】
これにより、シリンドリカルレンズ２が光軸と直交する方向にガタつくことを防止することができるとともに、θ方向に回転することを防止することが可能となる。
【００５３】
また、シリンドリカルレンズ２の位置は、光軸Ｌの方向に沿って位置を移動させることにより、光軸Ｌと直交する方向にも移動することになる。しかしながら、上述したように、シリンドリカルレンズ２は、副走査方向にのみパワーを有しているので、シリンドリカルレンズ２が光軸Ｌと直交する方向に移動したとしても、結像性能に影響なく、感光体上に所望のスポット形状を形成することができる。
【００５４】
また、図８に示すように、シリンドリカルレンズ２をレーザ側、すなわち入射側に移動する必要がある場合に、シリンドリカルレンズ２を回転多面鏡３側に移動する場合と同様に、光軸方向位置決定ピン１２ａ，１２ｂおよび光軸直交方向決定ピン１３ｂにより位置決めすることが可能であり、光軸Ｌの方向および光軸Ｌに対して直交方向に沿ってガタつくのを防止するとともに、θ方向に回転するのを防止することができる。
【００５５】
すなわち、この一実施形態による走査光学装置においては、シリンドリカルレンズ２の位置を、光軸Ｌの方向に段階的に調整したとしても、ガタつくことなく位置決めすることが可能となる。そのため、単純な形状のバネ部材を用いて上方向から押さえるだけで、シリンドリカルレンズ２を光学箱１０に確実に固定することが可能となる。
【００５６】
ここで、この一実施形態による走査光学装置におけるシリンドリカルレンズ２の固定方法を、図９に示す。図９に示すように、この一実施形態の走査光学装置においては、上述のように、シリンドリカルレンズ２の光軸Ｌの方向位置を回転多面鏡３側、中央（称呼位置）およびレーザ側の３箇所から、適宜１箇所を選択して位置決めする構成であるが、２箇所や４箇所以上の位置から適宜１箇所を選択するようにしてもよい。
【００５７】
また、これらの位置のうちの、いずれの位置を選択した場合においても、光軸Ｌの方向およびその直交方向にガタつくことなく位置決めをすることができるとともに、図中θ方向にシリンドリカルレンズ２が回転することもないので、弾性部材２０によって、シリンドリカルレンズ２の上方から付勢することにより、シリンドリカルレンズ２を光学箱１０に確実に固定することができる。
【００５８】
弾性部材２０には、押圧部２１が設けられており、シリンドリカルレンズ２をＺ方向にレンズ保持面１１に押しつける作用を有する。また、弾性部材２０は位置決定部２２を有しており、固定ビス２５により光学箱１０に固定される。
【００５９】
また、図１０に、上述したシリンドリカルレンズ２の光軸Ｌの方向の位置を３段階に調整した場合におけるレンズの固定状態を示す概略図を示す。
【００６０】
図１０に示すように、（１）シリンドリカルレンズ２を回転多面鏡３側に移動させ、図１０中、２Ｐの位置に位置決めした場合、（２）シリンドリカルレンズ２を半導体レーザ１側に移動させ、図１０中、２Ｌの位置に位置決めした場合、（３）シリンドリカルレンズ２をさらにレーザ側に移動させ、中央位置に位置決めした場合における、（１）〜（３）のいずれの状態においても、同一の位置となる押圧部２１により、シリンドリカルレンズ２をＺ方向に付勢することが可能となる。
【００６１】
また、上述したように、シリンドリカルレンズ２のレンズ保持面上における位置は、光軸方向位置決定ピン１２ａ，１２ｂおよび光軸直角方向位置決定ピン１３ａ，１３ｂによって正確に決定することができる。そのため、弾性部材２０には、特にシリンドリカルレンズ２を光軸Ｌの方向（または、光軸Ｌに対して直交方向）に突き当てる機能を持たせる必要はない。
【００６２】
そのため、図９に示すように、レンズをＺ方向に付勢する機能だけを持つ極めて単純な、Γ形状やバネ形状の弾性部材２０を使用することができる。
【００６３】
これによって、従来技術（特許文献１）に開示されているような、シリンドリカルレンズ２の上面に凹凸面を設けてシリンドリカルレンズ２と弾性部材２０との摩擦力を増加させるというような方法を採用することなく、シリンドリカルレンズ２を安定して固定させることが可能となる。
【００６４】
また、従来行われていた、シリンドリカルレンズ２のピント調整の後に紫外線硬化型接着剤（紫外線硬化型樹脂）などによって光学箱１０に接着する方法に比しても、短い組立タクトによってシリンドリカルレンズ２を固定することが可能となる。
【００６５】
さらに、シリンドリカルレンズ２を弾性部材２０によって固定する構成を有していることにより、走査光学装置を組み立てた後にシリンドリカルレンズ２の光軸方向の位置を再調整する必要が生じた場合でも、弾性部材２０を取り外し、シリンドリカルレンズ２を載置し直して、再度弾性部材２０による固定を行うようにすることにより、再調整を簡単に行うことが可能となる。すなわち、この一実施形態による走査光学装置においては、リサイクル性の向上をも図ることができる。
【００６６】
以上説明したように、この発明の一実施形態による走査光学装置によれば、シリンドリカルレンズ２の光軸Ｌの方向の位置を、段階的に調整するとともに、シリンドリカルレンズ２を、簡単な構成の単純な形状の弾性部材２０によって光学箱１０に安定して固定することが可能となるため、ピントずれによるスポット形状崩れを防止し、リサイクル性に優れた高精細な走査光学装置を低コストで製造することが可能となる。
【００６７】
以上、この発明の一実施形態について具体的に説明したが、この発明は、上述の一実施形態に限定されるものではなく、この発明の技術的思想に基づく各種の変形が可能である。
【００６８】
例えば、上述の一実施形態において挙げた段階数はあくまでも例に過ぎず、必要に応じてこれと異なる段階数を用いてもよい。
【００６９】
また、例えば上述の一実施形態においては、シリンドリカルレンズ２の光軸方向位置を３段階に調整する構成について説明したが、必ずしも３段階調整に限定されるものではなく、設ける突き当て部の個数により、所望の複数箇所にシリンドリカルレンズ２を固定可能な構成とすることができ、この場合にも上述と同様の効果を得ることができる。具体的には、ｎ段階に調整する構成とした場合、光軸方向位置決定ピン１２ａ，１２ｂの端部から（ｎ−１）×ａ２だけ離れた位置に光軸直交方向決定ピン１３ａを設けるようにすることが可能である。
【００７０】
また、この発明は、上述の一実施形態に限定されるものではなく、以下の技術的思想を含み、これらの技術的思想のあらゆる組み合わせを包含するものである。
【００７１】
［実施態様１］
光源と、光源から出射した光ビームを集光する第１の結像光学系と、第１の結像光学系を通過した光ビームを偏向反射面により反射偏向させる回転多面鏡と、回転多面鏡により偏向された光ビームを感光体上に光走査し、感光体上にスポットとして結像させる第２の結像光学系と、少なくとも、光源、第１の結像光学系、回転他面鏡および第２の結像光学系を保持する光学箱とを有し、第１の結像光学系に含まれる光学素子のうちの少なくとも１つの光学素子が、光学箱に対し、光軸方向のそれぞれ異なる複数の位置から段階的に１箇所を選択して位置決め可能に構成されている。
【００７２】
［実施態様２］
実施態様１における少なくとも１つの光学素子は、好適には、副走査方向にのみ集光作用を有するシリンドリカルレンズである。
【００７３】
［実施態様３］
光学箱に設けられたレンズ保持面には、光軸方向に離間した２つの位置決定ピンおよび、光軸直角方向に離間した２つの置決定ピンが設けられており、少なくとも１つの光学素子には、光ビームが入射する側の面と出射する側の面とにそれぞれ設けられた、対向する階段形状を有する位置決め部が設けられている。
【００７４】
［実施態様４］
上述の少なくとも１つの光学素子を、弾性部材により光学箱に固定するように構成する。
【００７５】
［実施態様５］
また、光学箱に設けられたレンズ保持面には、光軸方向に離間した２つの位置決定ピンおよび、光軸に対して直交方向に離間した２つの置決定ピンが設けられており、少なくとも１つの光学素子には、光ビームが入射する側の面と出射する側の面とにそれぞれ設けられた、対向する階段形状を有する位置決め部が設けられている。
【００７６】
【発明の効果】
以上説明したように、この発明によれば、所定の結像光学系に含まれる光学素子のうちの、少なくとも１つの光学素子を、この結像光学系を保持する光学箱に対し、光軸方向のそれぞれ異なる位置から１箇所を選択して位置決め可能に構成されていることにより、光学素子のピント調整を、簡便に、かつ、安定させて光学素子の固定を行うことができる。そのため、ピントずれによる感光体上でのスポット形状の悪化が生じにくく、安価でリサイクル性に優れた走査光学装置を提供することができる。また、簡単な構造の弾性部材を用いるのみで、光学素子を、簡便かつ安定して光学箱に固定させることが可能となる。
【００７７】
また、この発明による走査光学装置を用いることにより、高精細な画像形成装置を安価に提供することが可能となる。
【図面の簡単な説明】
【図１】この発明の一実施形態による走査光学装置を示す上面図である。
【図２】この発明の一実施形態による光学箱のシリンドリカルレンズの保持部を示す上面図である。
【図３】この発明の一実施形態によるシリンドリカルレンズの形状を示す略線図である。
【図４】この発明の一実施形態によるシリンドリカルレンズの集光作用を説明するための略線図である。
【図５】この発明の一実施形態によるシリンドリカルレンズに設けられた位置決め部について説明するための略線図である。
【図６】この発明の一実施形態によるシリンドリカルレンズの光軸方向位置調整の状態を示す斜視図および上面図である。
【図７】この発明の一実施形態によるシリンドリカルレンズの固定方法を説明するための斜視図および上面図である。
【図８】この発明の一実施形態によるシリンドリカルレンズの固定方法を説明するための斜視図および上面図である。
【図９】この発明の一実施形態によるシリンドリカルレンズの固定方法を説明するための斜視図である。
【図１０】この発明の一実施形態によるシリンドリカルレンズを調整した場合の固定状態を示す略線図である。
【図１１】従来技術による走査光学装置における問題点を説明するための略線図である。
【符号の説明】
１  半導体レーザ
１ａ  コリメータレンズ
２，１０２  シリンドリカルレンズ
２ａ  レンズ有効面
２ｂ  位置決定部
２ｃ，２ｃＰ，２ｃＣ，２ｃＬ  突き当て面
３  回転多面鏡
３ｂ  モータ基板
４  結像レンズ
５  ミラー
６  検出ミラー
７  水平同期信号検出器
１０，１１０  光学箱
１１，１１１  レンズ保持面
１２ａ，１２ｂ  光軸方向位置決定ピン
１３ａ，１３ｂ  光軸直角方向位置決定ピン
２０  弾性部材
２１  押圧部
２２  位置決定部
２５  固定ビス
３０  ふた部材
【図１】
2004219883.tif 000003
【図２】
2004219883.tif 000004
【図３】
2004219883.tif 000005
【図４】
2004219883.tif 000006
【図５】
2004219883.tif 000007
【図６】
2004219883.tif 000008
【図７】
2004219883.tif 000009
【図８】
2004219883.tif 000010
【図９】
2004219883.tif 000011
【図１０】
2004219883.tif 000012
【図１１】
2004219883.tif 000013